(57)【要約】【課題】ＯＳＤ画像の視認性を維持しつつ、表示画像の確認作業に与える影響を軽減する。【解決手段】画像表示装置１００は、画像を表示する表示部１０５と、表示部１０５に表示する表示画像を取得する画像取得部１０１と、表示画像に重ねて表示部１０５に表示されるＯＳＤ画像を合成することにより合成画像を生成する画像合成部１０４と、表示画像の画質を調整する表示画像調整部１０８と、表示画像の画質の調整量に連動して、ＯＳＤ画像の画質を、表示画像の画質を調整可能な第１調整範囲よりも狭い第２調整範囲で調整するＯＳＤ画像調整部１０９と、を有し、表示部１０５は、表示画像調整部１０８及びＯＳＤ画像調整部１０９により表示画像及び重畳画像の画質が調整された合成画像を表示する。【選択図】図１
2016085364.tif 000002
【特許請求の範囲】
【請求項１】
画像を表示する表示手段と、
前記表示手段に表示する表示画像を取得する画像取得手段と、
前記表示画像に重ねて前記表示手段に表示される重畳画像を合成することにより合成画像を生成する合成手段と、
前記表示画像の画質を調整する第１調整手段と、
前記表示画像の画質の調整量に連動して、前記重畳画像の画質を、前記表示画像の画質を調整可能な第１調整範囲よりも狭い第２調整範囲で調整する第２調整手段と、
を有し、
前記表示手段は、前記第１調整手段及び前記第２調整手段により前記表示画像及び前記重畳画像の画質が調整された前記合成画像を表示することを特徴とする、
画像表示装置。
【請求項２】
前記表示画像の画質の調整入力値を取得する入力値取得手段をさらに有し、
前記第１調整手段は、前記入力値取得手段が取得可能な前記調整入力値の最小値から最大値の範囲において、前記表示画像の画質を前記第１調整範囲内で調整し、
前記第２調整手段は、前記最小値から所定の範囲、及び前記最大値から所定の範囲を除く入力値範囲において、前記重畳画像の画質を前記第２調整範囲内で調整することを特徴とする、
請求項１に記載の画像表示装置。
【請求項３】
前記第２調整手段は、前記入力値範囲内において、前記表示画像の画質と同一の画質に前記重畳画像の画質を調整し、前記第２調整範囲外において、前記重畳画像の画質を所定の画質に固定することを特徴とする、
請求項２に記載の画像表示装置。
【請求項４】
前記表示画像の画質の調整入力値を取得する入力値取得手段をさらに有し、
前記第１調整手段は、前記入力値取得手段が取得可能な前記調整入力値の最小値から最大値の範囲において、前記表示画像の画質を前記第１調整範囲内で調整し、
前記第２調整手段は、前記入力値取得手段が取得可能な前記調整入力値の最小値から最大値の範囲において、前記重畳画像の画質を前記第２調整範囲内で調整することを特徴とする、
請求項１に記載の画像表示装置。
【請求項５】
前記第１調整手段は、前記調整入力値の単位変化量に対して第１の変化量で前記表示画像の画質を変化させ、
前記第２調整手段は、前記調整入力値の単位変化量に対して前記第１の変化量よりも小さな第２の変化量で前記重畳画像の画質を変化させることを特徴とする、
請求項４に記載の画像表示装置。
【請求項６】
前記第２調整手段は、前記最小値から所定の範囲、及び前記最大値から所定の範囲を除く範囲において、前記調整入力値の単位変化量に対して前記第２の変化量で前記重畳画像の画質を変化させ、かつ、前記最小値から所定の範囲、及び前記最大値から所定の範囲において、前記調整入力値の単位変化量に対して前記第２の変化量よりも小さな第３の変化量で前記重畳画像の画質を変化させることを特徴とする、
請求項５に記載の画像表示装置。
【請求項７】
前記第２調整手段は、所定範囲の前記調整入力値に対して画質が同一になるように、段階的に前記重畳画像の画質を調整することを特徴とする、
請求項２から６のいずれか１項に記載の画像表示装置。
【請求項８】
前記第１調整手段は、第１所定範囲の前記調整入力値に対して画質が同一になるように、段階的に前記表示画像の画質を調整し、
前記第２調整手段は、前記第１所定範囲よりも大きな第２所定範囲の前記調整入力値に対して画質が同一になるように、段階的に前記重畳画像の画質を調整することを特徴とする、
請求項７に記載の画像表示装置。
【請求項９】
前記第２調整手段は、前記画像取得手段が取得した前記表示画像に基づいて定められた前記第２調整範囲で前記重畳画像の画質を調整することを特徴とする、
請求項１から８のいずれか１項に記載の画像表示装置。
【請求項１０】
前記第２調整手段は、前記画像取得手段が取得した前記表示画像の平均輝度に基づいて前記第２調整範囲を決定することを特徴とする、
請求項９に記載の画像表示装置。
【請求項１１】
表示手段に画像を表示する画像表示方法であって、
前記表示手段に表示する表示画像を取得するステップと、
前記表示画像に重ねて前記表示手段に表示される重畳画像を合成することにより合成画像を生成するステップと、
前記表示画像の画質を調整する第１調整ステップと、
前記表示画像の画質の調整量に連動して、前記重畳画像の画質を、前記表示画像の画質を調整可能な第１調整範囲よりも狭い第２調整範囲で調整する第２調整ステップと、
前記第１調整ステップ及び前記第２調整ステップの後に、前記合成画像を前記表示手段に表示するステップと、
を有することを特徴とする画像表示方法。
【発明の詳細な説明】
【技術分野】
【０００１】
本発明は、画像表示装置及び画像表示方法に関するものである。
【背景技術】
【０００２】
画像を表示するディスプレイは、コンピュータやビデオカメラ等から入力された表示画像の色及び明るさ等の画質を調整できることが知られている。ユーザは、ディスプレイに備えられたボタンを操作して、画面上にＯＳＤ（On Screen Display）画像から構成される設定画面を表示させ、画質の調整値を入力することにより、画質を調整することができる。特許文献１においては、ＯＳＤ画像が表示画像に重畳されている場合に、画質調整によってＯＳＤ画像の視認性が低下することを防ぐために、ＯＳＤ画像を画質調整の対象から除外する技術が開示されている。
【先行技術文献】
【特許文献】
【０００３】
【特許文献１】特開２００９−２２３１０９号公報
【発明の概要】
【発明が解決しようとする課題】
【０００４】
しかしながら、ディスプレイのＯＳＤ画像を画質調整の対象から除外してしまうと、表示画像の色味とＯＳＤ画像の色味との間に差が生じてしまう。業務用のディスプレイにおいては、ＯＳＤ画像を表示した状態で表示画像の画質を確認する作業が行われることがあり、表示画像に対してＯＳＤ画像が過度に明るかったり暗かったりすると、表示画像の確認作業に支障が生じてしまうという問題がある。例えば、表示画像を明るく調整したにもかかわらずＯＳＤ画像の画質が変化しないで暗い状態になっていると、表示画像の確認作業において、暗いＯＳＤ画像の影響を受けてしまうので好ましくない。他方で、表示画像を明るくした際にＯＳＤ画像も表示画像と同じレベルで明るくしてしまうと、ＯＳＤ画像が白く潰れてしまい、ＯＳＤ画像に含まれている内容を視認できなくなってしまう。
【０００５】
そこで、本発明は上述した点に鑑みてなされたものであり、ＯＳＤ画像の視認性を維持しつつ、表示画像の確認作業に与える影響を軽減することができる画像表示装置及び画像表示方法を提供することを目的とする。
【課題を解決するための手段】
【０００６】
上記の課題を解決するために、本発明の画像表示装置は、画像を表示する表示手段と、前記表示手段に表示する表示画像を取得する画像取得手段と、前記表示画像に重ねて前記表示手段に表示される重畳画像を合成することにより合成画像を生成する合成手段と、前記表示画像の画質を調整する第１調整手段と、前記表示画像の画質の調整量に連動して、前記重畳画像の画質を、前記表示画像の画質を調整可能な第１調整範囲よりも狭い第２調整範囲で調整する第２調整手段と、を有し、前記表示手段は、前記第１調整手段及び前記第２調整手段により前記表示画像及び前記重畳画像の画質が調整された前記合成画像を表示することを特徴とする。
【発明の効果】
【０００７】
本発明によれば、ＯＳＤ画像の視認性を維持しつつ、表示画像の確認作業に与える影響を軽減することができるという効果を奏する。
【図面の簡単な説明】
【０００８】
【図１】第１の実施形態に係る画像表示装置１００の構成を示す図である。
【図２】表示画像調整情報及びＯＳＤ画像調整情報の一例を模式的に示した図である。
【図３】表示画像及びＯＳＤ画像の画質の変化の様子を示す図である。
【図４】画像表示装置１００に表示される画質を調整する際の動作フローチャートである。
【図５】第２の実施形態に係る表示画像調整情報及びＯＳＤ画像調整情報を示す図である。
【図６】第２の実施形態に係る表示画像調整情報及びＯＳＤ画像調整情報の変形例を示す図である。
【図７】第３の実施形態に係る表示画像調整情報及びＯＳＤ画像調整情報を示す図である。
【図８】第４の実施形態に係る表示画像調整情報及びＯＳＤ画像調整情報を示す図である。
【発明を実施するための形態】
【０００９】
＜第１の実施形態＞
［画像表示装置１００の構成］
図１は、第１の実施形態に係る画像表示装置１００の構成を示す図である。画像表示装置１００は、コンピュータ、ビデオカメラ、及びデジタルカメラ等の外部装置と、映像信号ケーブルを介して接続される。映像信号ケーブルは、例えばＨＤＭＩ（High Definition Multimedia Interface）（登録商標）ケーブルであり、外部装置が出力する画像は、ＨＤＭＩケーブルを介して画像表示装置１００に入力される。本明細書における「画像」は、静止画及び動画（映像）を含む。
【００１０】
画像表示装置１００は、画像取得部１０１と、ＯＳＤ画像保持部１０２と、入力値取得部１０３と、画像合成部１０４と、表示部１０５と、記憶部１０６と、制御部１０７とを有する。制御部１０７は、表示画像調整部１０８及びＯＳＤ画像調整部１０９として機能する。
【００１１】
画像取得部１０１は、映像信号ケーブルを介して、映像信号を外部装置から受信する。画像取得部１０１は、映像信号に含まれる、表示部１０５に表示する対象となる表示画像を取得する。画像取得部１０１は、取得した表示画像を表示画像調整部１０８へと出力する。
【００１２】
ＯＳＤ画像保持部１０２は、ユーザに提示するメニュー画像や文字列画像を含むＯＳＤ画像を保持している不揮発性メモリである。ＯＳＤ画像は、表示画像に重ねて表示部１０５に表示される重畳画像である。ＯＳＤ画像保持部１０２は、制御部１０７の制御により、表示画像に重ねてＯＳＤ画像を表示するタイミングで、ＯＳＤ画像をＯＳＤ画像調整部１０９へと出力する。
【００１３】
入力値取得部１０３は、画像取得部１０１が取得した表示画像の画質を調整するための調整入力値を取得する。具体的には、入力値取得部１０３は、ユーザの操作を受け付けるボタンを有する操作部（不図示）を介して、ユーザから、画質調整項目の選択、及び画質を調整するための調整入力値を受け付ける。画質調整項目とは、明るさ、コントラスト、シャープネス等の画質に関する項目である。
【００１４】
入力値取得部１０３は、例えば、調整可能な画質調整項目を含むＯＳＤ画像を表示部１０５に表示させることにより、ユーザが調整を希望する画質調整項目の選択を受け付ける。また、入力値取得部１０３は、選択された画質調整項目の画質の調整レベルを入力するＯＳＤ画像を表示部１０５に表示させることにより、ユーザが希望する画質に調整するための調整入力値を受け付ける。
【００１５】
画像合成部１０４は、表示画像調整部１０８を経由して入力された表示画像と、ＯＳＤ画像調整部１０９を介して入力されたＯＳＤ画像とを合成することにより合成画像を生成する。画像合成部１０４は、生成した合成画像を表示部１０５へと出力する。画像合成部１０４は、例えば、表示画像におけるＯＳＤ画像を表示する領域の画像をＯＳＤ画像に置換することにより、合成画像を生成する。画像合成部１０４は、表示画像とＯＳＤ画像とを所定の係数で重みづけして合成することにより、ＯＳＤ画像が透過性を有する合成画像を生成してもよい。画像合成部１０４は、表示画像調整部１０８及びＯＳＤ画像調整部１０９が、それぞれ表示画像及びＯＳＤ画像の画質を変化させると、表示部１０５に表示されている合成画像に含まれる表示画像及びＯＳＤ画像の画質を変化させる。
【００１６】
表示部１０５は、画像合成部１０４が生成した合成画像を表示するパネルである。表示部１０５は、例えば液晶パネル又は有機ＥＬ（Electro-Luminescence）パネルである。
【００１７】
記憶部１０６は、ＲＯＭ、ＲＡＭ、及びハードディスク等の記憶媒体により構成される。記憶部１０６は、制御部１０７により実行されるプログラム、及び制御部１０７が生成する各種データを記憶している。また、記憶部１０６は、表示画像調整部１０８が表示画像の画質の調整に用いる表示画像調整情報、及びＯＳＤ画像調整部１０９がＯＳＤ画像の画質の調整に用いるＯＳＤ画像調整情報を記憶している。表示画像調整情報は、入力値取得部１０３が取得した調整入力値と表示画像の画質の調整レベルとを関連付けた情報である。ＯＳＤ画像調整情報は、入力値取得部１０３が取得した調整入力値とＯＳＤ画像の画質の調整レベルとを関連付けた情報である。
【００１８】
図２は、表示画像調整情報及びＯＳＤ画像調整情報の一例を模式的に示した図である。図２の横軸は、入力値取得部１０３が取得した調整入力値を示しており、図２においては、０から１００までの値が調整入力値として入力されることが想定されている。縦軸は、表示画像及びＯＳＤ画像のそれぞれの画質の調整レベルを示している。調整レベルは、調整対象となる画像の調整後の画質に対応しており、例えば、調整対象となる画像に含まれる全画素の平均値に対応している。表示画像の明るさを０から２５５までの階調で調整可能であるとすると、調整レベル１００は、表示画像に含まれる全画素の明るさの平均値が２５５となる状態に対応し、調整レベル０は、表示画像に含まれる全画素の明るさの平均値が０となる状態に対応する。
【００１９】
図２における破線は、調整入力値と表示画像の調整レベルとの関係を示している。図２における実線は、調整入力値とＯＳＤ画像の調整レベルとの関係を示している。図２に示すように、調整入力値の所定の変化量に対するＯＳＤ画像の画質の調整量は、調整入力値の同じ変化量に対する表示画像の画質の調整量に連動している。具体的には、調整入力値が２０から８０までの範囲において、表示画像の画質の調整レベルが大きくなるにつれて、ＯＳＤ画像の画質の調整レベルも大きくなっている。図２に示す例においては、調整入力値が２０から８０までの範囲において、調整入力値の所定の変化量に対するＯＳＤ画像の画質の調整量は、表示画像の画質の調整量と同一である。
【００２０】
また、表示画像の画質の調整可能範囲（第１調整範囲）は、ＯＳＤ画像を視認できる範囲に設定された、ＯＳＤ画像の画質の調整可能範囲（第２調整範囲）よりも大きい。したがって、調整入力値が最大値１００である場合に、例えば表示画像の明るさの調整レベルは最大値１００となるのに対して、ＯＳＤ画像の明るさの調整レベルは８０になっている。
【００２１】
制御部１０７は、例えばＣＰＵである。制御部１０７は、記憶部１０６に記憶されたプログラムを実行することにより、表示画像調整部１０８及びＯＳＤ画像調整部１０９として機能する。
【００２２】
表示画像調整部１０８は、画像取得部１０１から入力された表示画像の画質を調整する。具体的には、表示画像調整部１０８は、図２に示したような表示画像調整情報に基づいて、調整入力値に対応する画質の調整レベルを特定し、特定した調整レベルに表示画像の画質を調整する。より具体的には、表示画像調整部１０８は、表示画像の画質の調整レベルを特定すると、表示画像に含まれる全画素の画質の平均値が、特定した調整レベルに対応する値になるように、表示画像に含まれる全画素の画素値を変換する。例えば、画質調整項目として明るさが選択された場合、表示画像調整部１０８は、調整入力値が大きくなるにつれて表示画像が明るくなるように、表示画像に含まれる全画素の画素値を変換する。
【００２３】
表示画像調整部１０８は、入力値取得部１０３が取得可能な調整入力値の最小値から最大値の範囲において、表示画像の画質を第１調整範囲内で調整する。図２に示した例において、表示画像調整部１０８は、０から１００までの調整入力値に対して、表示画像の画質が０から１００までの調整レベルに対応する第１調整範囲内で変化するように調整する。
【００２４】
ＯＳＤ画像調整部１０９は、ＯＳＤ画像保持部１０２から入力されたＯＳＤ画像の画質を調整する。ＯＳＤ画像調整部１０９は、表示画像調整部１０８による表示画像の画質の調整量に連動して、ＯＳＤ画像の画質を、表示画像の画質を調整可能な範囲よりも狭い範囲で調整する。図２に示した例の場合、ＯＳＤ画像調整部１０９は、調整入力値の最小値から所定の範囲（０から２０までの範囲）、及び最大値から所定の範囲（８０から１００までの範囲）を除く入力値範囲（２０から８０までの範囲）において、ＯＳＤ画像の画質を第２調整範囲内で調整する。ＯＳＤ画像調整部１０９は、調整入力値が２０から８０までの範囲において、表示画像調整部１０８が表示画像の画質を第１の向き（例えば、表示画像を明るくする方向）に調整すると、ＯＳＤ画像の画質を第１の向きに調整することにより、ＯＳＤ画像が明るくなるように調整する。
【００２５】
図２の例において、ＯＳＤ画像調整部１０９は、調整入力値が２０から８０までの範囲において、表示画像の画質と同一の画質にＯＳＤ画像の画質を調整する。ＯＳＤ画像調整部１０９は、調整入力値が０から２０までの範囲において、ＯＳＤ画像の画質の調整レベルを、調整入力値２０に対応する調整レベル２０に固定する。また、ＯＳＤ画像調整部１０９は、調整入力値が８０から１００までの範囲において、ＯＳＤ画像の画質の調整レベルを、調整入力値８０に対応する調整レベル８０に固定する。
【００２６】
図３は、表示画像及びＯＳＤ画像の画質の変化の様子を示す図である。図３（ａ）は、明るさの調整入力値が５０である場合の表示画像Ｘ及びＯＳＤ画像Ｙを示している。図３（ｂ）は、明るさの調整入力値が７０である場合の表示画像Ｘ及びＯＳＤ画像Ｙを示している。図３（ｃ）は、明るさの調整入力値が１００である場合の表示画像Ｘ及びＯＳＤ画像Ｙを示している。
【００２７】
図３（ｂ）におけるＯＳＤ画像Ｙの明るさは、図３（ａ）におけるＯＳＤ画像Ｙに比べると、表示画像Ｘに連動して明るい状態に変化しているが、表示画像Ｘ及びＯＳＤ画像Ｙの両方が視認できる状態である。これに対して、図３（ｃ）においては、明るさの調整入力値が１００にされたことにより、表示画像Ｘは調整レベルが１００（最も明るい状態）になり、表示画像Ｘの内容を視認できない状態になっている。しかし、ＯＳＤ画像Ｙは、調整入力値が１００の場合の調整レベルが８０なので、ＯＳＤ画像Ｙの内容を視認できる状態に維持されている。このように、本実施形態に係る画像表示装置１００は、ユーザが表示画像の画質を調整すると、表示画像の画質に連動してＯＳＤ画像の画質を変化させつつ、調整入力値が所定の範囲を超えると、ＯＳＤ画像の画質を所定の値に固定するので、ＯＳＤ画像が視認できない状態になることを防止できる。
【００２８】
［画像表示装置１００の動作フローチャート］
図４は、画像表示装置１００に表示される画質を調整する際の動作フローチャートである。まず、画像表示装置１００は、画像取得部１０１を介して外部装置から表示画像を取得する（Ｓ１０１）。画像表示装置１００が表示画像を表示部１０５に表示している状態で、制御部１０７は、画質を調整するための操作が行われることを監視し、ユーザによる操作が行われるまで待機する（Ｓ１０２）。
【００２９】
制御部１０７は、ユーザによる操作が行われたことを検出した場合（Ｓ１０２においてＹｅｓの場合）、操作内容に応じたＯＳＤ画像をＯＳＤ画像保持部１０２から取得して、表示画像に重畳させて表示部１０５に表示させる（Ｓ１０３）。例えば、制御部１０７は、Ｓ１０２において、ユーザによる画質調整操作を検出すると、画質調整項目を選択させるためのＯＳＤ画像をＯＳＤ画像保持部１０２から取得して、取得したＯＳＤ画像を表示部１０５に表示させる。
【００３０】
続いて、制御部１０７は、ユーザが、ＯＳＤ画像に表示した画質調整項目のうちユーザが所望する画質調整項目を選択する操作を行うまで待機する（Ｓ１０４）。制御部１０７は、ユーザが選択した画質調整項目を取得した場合（Ｓ１０４においてＹｅｓの場合）、選択された画質調整項目の画質を調整するためのＯＳＤ画像をＯＳＤ画像保持部１０２から取得して、表示画像に重畳させて表示部１０５に表示させる（Ｓ１０５）。制御部１０７は、当該ＯＳＤ画像を表示部１０５に表示させた状態で、画質の調整入力値が入力されるまで待機する（Ｓ１０６）。
【００３１】
制御部１０７は、調整入力値を取得した場合（Ｓ１０６においてＹｅｓの場合）、記憶部１０６に記憶されている表示画像調整情報を参照し、調整入力値に対応する表示画像の調整レベルを特定することにより、表示画像の画質を調整する（Ｓ１０７）。また、制御部１０７は、記憶部１０６に記憶されているＯＳＤ画像調整情報を参照し、調整入力値に対応するＯＳＤ画像の調整レベルを特定することにより、ＯＳＤ画像の画質を調整する（Ｓ１０８）。制御部１０７は、表示画像の画質の調整、及びＯＳＤ画像の画質の調整が完了すると、画質を調整した後の表示画像及びＯＳＤ画像が合成された合成画像を表示部１０５に表示させる（Ｓ１０９）。
【００３２】
［第１の実施形態における効果］
以上説明したように、第１の実施形態に係る画像表示装置１００においては、表示画像調整部１０８が、表示画像の画質を第１調整範囲内で調整し、ＯＳＤ画像調整部１０９が、表示画像の画質の変化に連動させて、第１調整範囲よりも狭い第２調整範囲でＯＳＤ画像の画質を調整する。このようにすることで、画像表示装置１００は、表示画像の画質の変化に合わせてＯＳＤ画像の画質を変化させることにより、表示画像の確認作業にＯＳＤ画像が与える影響を軽減しつつ、表示画像の画質が最大値又は最小値に近づいてもＯＳＤ画像を視認できるようにすることができる。
【００３３】
＜第２の実施形態＞
第１の実施形態に係る画像表示装置１００は、調整入力値が２０から８０までの間である場合に、表示画像の画質と同様にＯＳＤ画像の画質を変化させ、調整入力値が２０以下又は８０以上である場合に、ＯＳＤ画像の画質を固定していた。これに対して、第２の実施形態に係る画像表示装置１００は、調整入力値の最小値から最大値までの範囲において、ＯＳＤ画像の画質の調整レベルを変化させる点で第１の実施形態と異なる。
【００３４】
図５は、第２の実施形態に係る画像表示装置１００が使用する表示画像調整情報及びＯＳＤ画像調整情報を示す図である。図５における破線は、図２に示した破線と同じ特性の表示画像調整情報を示している。表示画像調整部１０８は、表示画像調整情報に基づいて、入力値取得部１０３が取得可能な調整入力値の最小値から最大値の範囲において、表示画像の画質を第１調整範囲内で調整する。表示画像調整部１０８は、上記の調整入力値の範囲において、調整入力値の単位変化量に対して第１の変化量で表示画像の画質を変化させる。具体的には、表示画像調整部１０８は、調整入力値が１だけ大きくなると、表示画像の画質の調整レベルが１だけ大きくなるように表示画像の画質を調整する。
【００３５】
図５における実線は、ＯＳＤ画像調整情報を示しており、表示画像調整情報の破線の傾きよりも小さい傾きを有している。ＯＳＤ画像調整部１０９は、ＯＳＤ画像調整情報に基づいて、入力値取得部１０３が取得可能な調整入力値の最小値から最大値の範囲において、ＯＳＤ画像の画質を第１調整範囲よりも狭い第２調整範囲内で調整する。ＯＳＤ画像調整部１０９は、調整入力値の単位変化量に対して第１の変化量よりも小さな第２の変化量でＯＳＤ画像の画質を変化させる。具体的には、ＯＳＤ画像調整部１０９は、調整入力値が１だけ大きくなると、ＯＳＤ画像の画質の調整レベルが１より小さい値（図５においては０．６）だけ大きくなるようにＯＳＤ画像の画質を調整する。
【００３６】
このようにすることで、表示画像の画質の調整レベルが最大値１００になった場合であっても、ＯＳＤ画像の画質の調整レベルは最大値に満たない８０となる。その結果、画像表示装置１００は、表示画像が明るくなった場合でも、ＯＳＤ画像が視認可能な状態を維持することができる。同様に、表示画像の画質の調整レベルが最小値０になった場合であっても、ＯＳＤ画像の画質の調整レベルは最小値よりも大きい２０となる。その結果、画像表示装置１００は、表示画像が暗くなった場合でも、ＯＳＤ画像が視認可能な状態を維持することができる。
【００３７】
図６は、第２の実施形態に係る画像表示装置１００が使用する表示画像調整情報及びＯＳＤ画像調整情報の変形例を示す図である。図６においては、調整入力値が所定の範囲にある場合に、ＯＳＤ画像調整情報の傾きが変化している。具体的には、調整入力値が２０から８０までの範囲においてはＯＳＤ画像調整情報の傾きは変化しておらず、調整入力値が２０以下の範囲、及び８０以上の範囲において、傾きが小さくなっている。
【００３８】
ＯＳＤ画像調整部１０９は、図６に示したＯＳＤ画像調整情報に基づいて、調整入力値が最小値から所定の範囲、及び最大値から所定の範囲を除く範囲である場合に、調整入力値の単位変化量に対して所定の変化量でＯＳＤ画像の画質を変化させる。また、ＯＳＤ画像調整部１０９は、調整入力値が最小値から所定の範囲、及び最大値から所定の範囲である場合に、調整入力値の単位変化量に対して上記の所定の変化量よりも小さな変化量で重畳画像の画質を変化させる。
【００３９】
このように、ＯＳＤ画像調整部１０９は、表示画像を十分に視認できる状態においては、ＯＳＤ画像の画質が表示画像の画質にできるだけ近い状態になるように、ＯＳＤ画像の画質を表示画像の画質に連動させて変化させ、表示画像がほとんど視認できない状態においては、ＯＳＤ画像の画質と表示画像の画質との連動性を弱める。このようにすることで、画像表示装置１００は、調整入力値が最小値又は最大値に近い領域におけるＯＳＤ画像の視認性を確保することが可能になる。
【００４０】
［第２の実施形態における効果］
以上説明したように、第２の実施形態に係る表示画像調整部１０８は、入力値取得部１０３が取得可能な調整入力値の最小値から最大値の範囲において、表示画像の画質を第１調整範囲内で調整する。また、ＯＳＤ画像調整部１０９は、上記の調整入力値の範囲において、表示画像の画質を、第１調整範囲よりも狭い第２調整範囲内で調整する。このようにすることで、画像表示装置１００は、調整入力値が最小値の近く又は最大値の近くである場合であっても、ＯＳＤ画像の画質を変化させることができるので、ユーザは、表示画像が視認しづらい場合であっても、ＯＳＤ画像の画質の変化を視認することで、画質調整操作が正常に動作していることを認識できる。
【００４１】
＜第３の実施形態＞
上記の実施形態においては、調整入力値の単位当たりの変化に対して調整レベルが変化するものとして説明したが、第３の実施形態においては、調整入力値の変化に対して段階的に調整レベルが変化する点で異なる。
【００４２】
図７は、第３の実施形態に係る画像表示装置１００が使用する表示画像調整情報及びＯＳＤ画像調整情報を示す図である。図７における細い実線は、図５において破線で示した表示画像調整情報に対応しており、図７における太い実線は、図５において実線で示したＯＳＤ画像調整情報に対応している。
【００４３】
表示画像調整部１０８は、図７に示した表示画像調整情報に基づいて、第１所定範囲の調整入力値に対して表示画像の画質が同一になるように、段階的に表示画像の画質を調整する。図７において、表示画像調整情報は、５０段階で調整レベルを変化させることができるので、第１所定範囲は１００／５０＝２であり、調整入力値が２変化すると調整レベルが２変化する。
【００４４】
ＯＳＤ画像調整部１０９は、図７に示したＯＳＤ画像調整情報に基づいて、第１所定範囲よりも大きい第２所定範囲の調整入力値に対して画質が同一になるように、段階的にＯＳＤ画像の画質を調整する。図７において、ＯＳＤ画像調整情報は、８段階で調整レベルを変化させることができるので、第２所定範囲は１００／８＝１２．５であり、調整入力値が１２．５変化すると調整レベルが１２．５変化する。
【００４５】
［第３の実施形態における効果］
以上説明したように、第３の実施形態に係る画像表示装置１００においては、ＯＳＤ画像を段階的に調整することができる。このようにすることで、表示画像の画質を変化させるたびにＯＳＤ画像の画質が変化しないので、表示画像の画質を微調整したい場合に、ＯＳＤ画像の画質の変化の影響を受けることなく表示画像の確認作業を行うことができる。
【００４６】
＜第４の実施形態＞
上記の実施形態に係る画像表示装置１００は、ＯＳＤ画像の画質を調整可能な範囲（第２調整範囲）として、予め定められた範囲を用いていた。これに対して、第４の実施形態に係る画像表示装置１００は、ＯＳＤ画像調整部１０９が、画像取得部１０１を介して取得する表示画像の画質（例えば、輝度）に基づいて定められた第２調整範囲でＯＳＤ画像の画質を調整する点で異なる。
【００４７】
図８は、第４の実施形態に係る画像表示装置１００が使用する表示画像調整情報及びＯＳＤ画像調整情報を示す図である。図８におけるＯＳＤ画像調整情報においては、図２に示したＯＳＤ画像調整情報に比べて狭い第２調整範囲で調整レベルが変化している。図８（ａ）は、表示画像が比較的明るい画像である場合のＯＳＤ画像調整情報を示しており、図８（ｂ）は、表示画像が比較的暗い画像である場合のＯＳＤ画像調整情報を示している。
【００４８】
ＯＳＤ画像調整部１０９は、表示画像の平均輝度に基づいて第２調整範囲を決定することができる。ＯＳＤ画像調整部１０９は、例えば、第２調整範囲の中央値が表示画像の平均輝度に対応するように第２調整範囲を決定する。例えば、ＯＳＤ画像調整部１０９は、表示画像の全画素の平均輝度が所定値よりも大きい場合、全体的に明るい画像であると判定して、ＯＳＤ画像の調整レベルの入力値範囲である第２調整範囲を、図８（ａ）に示すように、４０から８０までの間に設定する。ＯＳＤ画像調整部１０９は、表示画像の全画素の平均輝度が所定値よりも小さい場合、全体的に暗い画像であると判定して、ＯＳＤ画像の調整レベルの入力値範囲である第２調整範囲を、図８（ｂ）に示すように、１５から７５までの間に設定する。
【００４９】
また、ＯＳＤ画像調整部１０９は、表示画像に含まれるそれぞれの画素の輝度の分散に基づいて、第２調整範囲の大きさを決定してもよい。ＯＳＤ画像調整部１０９は、例えば、表示画像内に明るい領域が多く、輝度の分散が小さい場合に、図８（ａ）のように第２調整範囲を４０に決定する。他方、ＯＳＤ画像調整部１０９は、表示画像内に明るい領域と暗い領域が混在しており、輝度の分散が大きい場合に、図８（ｂ）のように第２調整範囲を６０に決定する。
【００５０】
［第４の実施形態における効果］
以上説明したように、第４の実施形態に係る画像表示装置１００は、表示画像の画質に基づいて、ＯＳＤ画像の画質を調整可能な範囲を決定する。このようにすることで、例えば、明るい画像が表示されているときにはＯＳＤ画像が過度に暗くなることを防止できるので、ユーザが表示画像の画質を確認する際に、ＯＳＤ画像の色味が及ぼす影響を軽減することができる。
【００５１】
以上、本発明を実施の形態を用いて説明したが、本発明の技術的範囲は上記実施の形態に記載の範囲には限定されず、その要旨の範囲内で種々の変形及び変更が可能である。
【００５２】
例えば、上記の実施形態の説明においては、表示画像調整部１０８及びＯＳＤ画像調整部１０９が、それぞれ並行して表示画像及びＯＳＤ画像を調整する例について説明したが、これに限らない。表示画像調整部１０８が、表示画像及びＯＳＤ画像の画質を表示画像調整情報に基づいて調整した後に、ＯＳＤ画像調整部１０９が、ＯＳＤ画像調整情報に基づいてＯＳＤ画像の画質を変更してもよい。
【符号の説明】
【００５３】
１００・・・画像表示装置
１０１・・・画像取得部
１０４・・・画像合成部
１０５・・・表示部
１０８・・・表示画像調整部
１０９・・・ＯＳＤ画像調整部
【図１】
2016085364.tif 000003
【図２】
2016085364.tif 000004
【図４】
2016085364.tif 000005
【図５】
2016085364.tif 000006
【図６】
2016085364.tif 000007
【図７】
2016085364.tif 000008
【図８】
2016085364.tif 000009
【図３】
2016085364.tif 000010